(57)【要約】  断面がほぼ三角形に見え、角柱の形状を有する硬質のヒンジ蓋の包装体（１）であって、ヒンジ（１９）の方法により容器（１０）に取り付けられ、包装体が開いている位置と包装体が閉じている位置との間で回動可能である蓋（１２）が上にのせられている容器（１０）を備える。包装体（１）の蓋（１２）は、容器（１０）または蓋（１２）の一方に付随する突端（２９）、および容器（１０）または蓋（１２）の他方に形成されている切込み（３０）として形成され、一方が他方に確実に挿入される固定要素（２７）により、閉位置に保持されている。
2009542545.tif 000002
【特許請求の範囲】
【請求項１】
容器（１０）と、ヒンジ（１９）に沿って容器（１０）に回動可能に取り付けられ、従って前記容器が開いている位置と前記容器が閉じている位置との間で回動可能な蓋（１２）とを備え、閉じられた包装体は角柱の形状に見え、断面がほぼ三角形であるヒンジ連結された蓋を備える硬質の包装体であって、
前記蓋（１２）が閉位置に保たれる固定手段（２７）を備えることを特徴とする、包装体。
【請求項２】
前記固定手段（２７）は、前記ヒンジ（１９）から離れ、前記角柱の２つの側面が結合されている領域に一致するように配置されている、請求項１に記載の包装体。
【請求項３】
前記固定手段（２７）は、前側の角の端（２６）に配置され、前記角柱の２つの側面が結合されている領域を形成している、請求項２に記載の包装体。
【請求項４】
固定手段（２７）は、前記容器（１０）と前記蓋（１２）との間で作動する係合部材または突端（２８）を含む、請求項３に記載の包装体。
【請求項５】
係合部材（２８）は、前記容器（１０）に付随する前側の角の端（２６）の成形部分（２９）を含み、前記蓋（１２）に向かって延び、前記蓋（１２）により提供される凹部（３０）に挿入可能である、請求項４に記載の包装体。
【請求項６】
前記係合部材（２８）は、前記蓋（１２）に付随する前側の角の端（２６）の成形部分（２９）を含み、前記容器（１０）に向かって延び、前記容器（１０）により提供される凹部（３０）に挿入可能である、請求項４に記載の包装体。
【請求項７】
前記成形部分（２９）は、前記凹部（３０）の内側の輪郭にほぼ適合された外形を有する、請求項５または６に記載の包装体。
【請求項８】
前記成形部分（２９）は、ほぼ蟻継ぎの外見の形状を有する、請求項７に記載の包装体。
【請求項９】
前記容器（１０）の内側に付随し、前記蓋が閉位置にあるときに、前記蓋（１２）を係合して保持する働きをする支持体（２２）を更に備える、請求項１から８のいずれか一項に記載の包装体。
【請求項１０】
固定手段（２７）は、前記支持体（２２）と前記蓋（１２）との間で作動する係合部材（２８）を含む、請求項３に従属する請求項９に記載の包装体。
【請求項１１】
前記係合部材（２８）は、支持体（２２）に付随する前側の角の端（２６）の成形部分（２９）を含み、前記蓋（１２）に向かって延び、前記容器（１０）により提供される凹部（３０）に挿入可能である、請求項１０に記載の包装体。
【請求項１２】
前記係合部材（２８）は、前記蓋（１２）の内側の挿入部分（３１）に付随する前記前側の角の端（２６）の成形部分（２９）を含み、前記支持体（２２）に向かって延び、前記支持体（２２）により提供される凹部（３０）に挿入可能に形成されている、請求項１０に記載の包装体。
【請求項１３】
前記成形部分（２９）は、前記凹部（３０）の内側の輪郭にほぼ適合する外形を有する、請求項１１または１２に記載の包装体。
【請求項１４】
前記成形部分（２９）は、ほぼ蟻継ぎの外見の形状を有する、請求項１３に記載の包装体。
【請求項１５】
外形が略四角形に見え、包装材料の平坦な打抜き素材（３２）から形成されており、
互いに平行に配置され、前記包装体の前面（１８）に一致する２つのパネル（３４）と、前記包装体の後面（１７）に一致する１つのパネル（３５）と、１つの接続パネル（３６）とを画定する予め折り目を付けられた３つの折り領域（３３）と、
予め折り目を付けられた３つの折り領域（３３）を横切り、前記容器（１０）の開いた上端部（１１）に一致して、一方の前記容器（１０）の前壁（１４）が他方の前記蓋（１２）の前記前壁（１６）から離される横方向のＶ字形の切込み（３７）と、
予め折り目を付けられた領域（３３）の横方向に配置され、前記蓋（１２）のヒンジ（１９）として機能するＶ字形の切込み（３７）のそれぞれの端から延びる２つの折り線（３９）と、
関連する折り線（４２）の方法により、１つの側面に沿って素材（３７）に結合され、それぞれが前記包装体（１）の頂部（８）および底部（９）に一致するほぼ三角形の２つの羽根（４０，４１）とを備える、請求項１から１４のいずれか一項に記載の包装体。
【請求項１６】
前記素材（３２）は、前記包装体（１）の前記頂部（８）および前記底部（９）を形成する前記羽根（４０，４１）に付随するように、前記容器（１０）および前記蓋（１２）の前記前壁（１４，１６）を提供する前記パネル（３４）の両側端から延びるフラップ（４３）をさらに備えることを特徴とする、請求項１５に記載の包装体。
【請求項１７】
前記Ｖ字形の切込み（３７）は、前記包装体の前側の角の端（２６）に一致する中央の予め折り目を付けられた折り領域（３３）を横切るように延び、前記成形部分（２９）およびそれぞれの前記凹部（３０）を形成するほぼ輪状の部分（４４）を有する、請求項５または請求項６に従属する請求項１５に記載の包装体。
【請求項１８】
前記支持体（２２）は、ほぼ四角形の外形の包装材料の平坦なリーフ（４５）から形成され、前記支持体（２２）の突起部分（２４）を提供する２つのパネル（４７）を区画するように配置されている互いに平行な予め折り目を付けられた折り領域（４６）を含み、
前記パネル（４７）は、前記支持体（２２）が部分的に前記容器（１０）から飛び出すような形態で、前記包装体の前記前面（１８）を提供する前記素材（３２）の２つの前記パネル（３４）により提供されている内面に固定されている、請求項９から１６のいずれか一項に記載の包装体。
【請求項１９】
前記包装体の前側の角の端（２６）に一致する前記リーフ（４５）の中央の予め折り目を付けられた領域（４６）は、一方の前記支持体（２２）の前記パネル（４７）と他方の前記蓋（１２）の前記挿入部分（３１）とを区画する横方向のＶ字形の切込み（５２）により占められている、請求項１８に記載の包装体。
【請求項２０】
前記挿入部分（３１）は、前記蓋（１２）に永久的に取り付けられ、前記支持体（２２）から取り外される、請求項１９に記載の包装体。
【請求項２１】
前記Ｖ字形の切込み（５２）は、前記包装体の前記前側の角の端（２６）に一致する中央の予め折り目を付けられた領域（４６）を横断して延び、前記成形部分（２９）およびそれぞれの前記凹部（３０）が形成されるほぼ輪状の部分（５３）を有する、請求項１９に記載の包装体。
【請求項２２】
前記平坦なリーフ（４５）は、２つの付属物（５１）を有し、それぞれが前記支持体（２２）の前記突起部分（２４）を形成するそれぞれのパネル（４７）に付随し、前記包装体（１）の前記底部（９）を形成する前記フラップ（４３）に取り付けられる、請求項１８から２１のいずれか一項に記載の包装体。
【発明の詳細な説明】
【技術分野】
【０００１】
本発明は、ヒンジ連結された蓋を備える硬質の包装体に関する。
【０００２】
特に、本発明は、たばこの包装体の製造に著しく有用であり、非限定的な暗示と共にであるが、次の詳述において明確に参照される分野を見い出している。
【背景技術】
【０００３】
一般的に、ヒンジ蓋タイプの硬質の包装体は、一見して平行六面体形状であり、蓋が上側に置かれ、それぞれの内側の包装紙の中に包まれたたばこの群を保持するような容器を備える。蓋は、容器が開いている位置と容器が閉じている位置との間で回動可能に、容器の開口した上端部にヒンジ連結されている。
【０００４】
容器は、上記容器と蓋との間で接続要素として機能する内側の補強支持体が備え付けられている。
【０００５】
従来技術では、断面がほぼ三角形であり、尖ったまたは丸まった角の端を有し、蓋の回動する動きを可能にするヒンジが前側の角の端と反対側の包装体の側面に配置されている角柱形状のたばこの包装体が含まれている。そのような三角形の包装体の容器および蓋は、前面と後面、および包装体の底部と頂部とを構成するそれぞれの端面を有する。
【０００６】
このような断面が三角形の包装体は、容器に付随して容器から部分的に飛び出し、包装体が使われないときには、より容易に閉位置に蓋を保持する働きをする内側の補強支持体がさらに備え付けられている。
【発明の開示】
【発明が解決しようとする課題】
【０００７】
この種の、すなわち角柱形状であり断面が三角形の包装体が直面する１つの欠点は、たばこを取り出すために比較的限られた回数開けられた後に、蓋が補強支持体の存在にも関わらず、容器の端に接触した正しい閉位置に再び戻らない傾向がある。
【０００８】
この結果生じる包装体の部分的に開いた状態は、その後のたばこの維持に悪影響を及ぼし、例えば、たばこの香りおよび正しい水分の含有率に関して悪影響を及ぼす。
【０００９】
さらに、蓋が容器の上にしっかりと閉じられていないことにより、包装体全体の明確な構造上の脆弱性を有する結果になる。蓋が開いたままである時には、実際には、もしも支持体に合致している角の端の上側の先端に圧力が印加されれば、容易に前側の角の端が変形するであろう。
【００１０】
本発明の目的は、上述の欠点の影響を受けない包装体を提供することにある。
【課題を解決するための手段】
【００１１】
上述の目的は、１つ以上の付属のクレームに引用されるような特徴のヒンジ連結された蓋を備える硬質の包装体が、本発明に従って明確に理解される。
【発明を実施するための最良の形態】
【００１２】
発明は、付随する図を用いて、一例として、ここに詳細に記述されるであろう。
【００１３】
図１から４を参照して、符号１は、ヒンジ連結された蓋を備える硬質の包装体を示し、それの全体の中には、金属箔紙から一般的に作られるそれぞれの内側包装紙４（図５）の中に包まれるたばこ３のグループ２を含んでいる。
【００１４】
包装体１は、断面がほぼ三角形の角柱状に見え、長手方向の軸Ａに合わされ、ほぼ四角形の側面は、５，６および７で示され、８および９で示される端面は、それぞれが包装体１の頂部および底部に一致している。
【００１５】
包装体１は、１１で示される開口した上端部を有する容器１０と、長手方向の軸Ａに交差して延びる相対的なヒンジ１９に沿って容器１０に回動可能に取り付けられ、従って閉位置と上端部１１が露出される開位置との間で回動できる蓋１２とを備える。
【００１６】
角柱の第１面５は、１７で示される包装体１の後面を提供するために結合しながら、容器１０の後壁１３と蓋１２の後壁１５とに一致している。２つの後壁１３および１５は、ヒンジ１９により互いに分けられている。
【００１７】
同様に、角柱の残りの側面６および７は、容器１０の前壁１４と蓋１２の前壁１６とにそれぞれ一致しており、１８で示される包装体１の前面を提供するように結合している。
【００１８】
前述の容器１０の開口した上端部１１は、角柱の軸Ａに対して斜めに配置され、および、ほぼＶ字形の外形を有し、上記の蓋１２が閉位置になったときに蓋１２の対応する端２１と接触しながら係合する上側端２０によって区切られている。
【００１９】
包装体１は、更に、容器１０により提供される開口した上端部１１の端２０を越えて部分的に突出する補強支持体２２を備え、２つの表面２３が包装体１の前面６および７とほぼ同一の平面を占め、支持体２２の突起部分２４として機能する。
【００２０】
支持体２２は、閉位置のときに容器１０と蓋１２との間に結合要素として機能する様に、容器１０の前壁１４の内面に固定されている。
【００２１】
３つの側面５，６および７は、図の例においては丸まって見えるが、後に、より十分に説明されるように、尖っているまたは傾斜していることと同等である、それぞれの角の端２５に沿って互いに結合されている。
【００２２】
符号２６は、包装体１の前面１８を形成する側面６および７が結合され、後面１７およびヒンジ１９と反対側の側面の丸まった前側の角の端を示している。
【００２３】
包装体１は、前側の角の端２６に配置され、蓋１２が閉位置に固定される手段２７を備える。特に、図１，１ａ，２および２ａに説明されている第１の実施形態に従って、そのような固定手段２７は、容器１０と蓋１２との間で作動する係合部材２８を備える。
【００２４】
図１および１ａの解決法を参照すると、特に、係合部材２８は、前側の角の端２６により提供される成形部分２９または突端からなり、容器１０に一体的に形成され、蓋１２に向かって延びている。
【００２５】
より正確には、前述の部分２９は、前側の角の端２６と一直線状に、容器１０の上側端２０から突出し、それぞれの丸まった角２９ａに、ほぼ蟻継ぎの外形を有する。
【００２６】
成形部分２９または突端は、蓋１２の端２１により提供される凹部または切込み３０に挿入可能であり、一方が他方に確実に係合できるように、凹部３０の外形に合う様に形成された外形を有している。
【００２７】
蓋１２が閉位置になったときに、前述の角２９ａは、対応する凹部３０のアンダーカット部３０ａにより保持される。したがって、成形部分２９は、凹部３０の中に固定されて留まり、それ故に蓋１２が容器１０の上側の位置に安定的に留まることが確保されている。
【００２８】
もう一つの方法として、図２および２ａに説明される様に、成形部分２９は、蓋１２の中に組むことができ、容器１０に向かって延びることができる。
【００２９】
この場合には、凹部３０は、容器１０の端２０によって提供され、挿入されたときに成形部分２９を収容するような方法にて形成されている。
【００３０】
図３，３ａ，４，４ａおよび５に説明されている更に可能な形態では、支持体２２と蓋１２に結合されている挿入部分３１との間で作動する係合部材２８を含む固定手段２７を備える。
【００３１】
特に、図３，３ａおよび５に説明される様に、係合部材２８は、支持体２２に一体的であり、蓋１２に向かって延びている成形部分２９により提供されている。
【００３２】
部分２９も、それぞれの凹部３０に挿入可能であり、この場合には、蓋１２の内側において挿入部分３１により提供されている。
【００３３】
より正確には、挿入部分３１は、蓋１２の前壁１６により提供される内面に配置され、凹部３０は、蓋１２の端２１と包装体１の頂部に一致する端面８との間の点において、前側の角の端２６に沿って配置されていることも分かるであろう。
【００３４】
成形部分２９は、支持体２２のほぼＶ字形の端２２ａの頂点に位置しており、閉位置になったときに蓋１２の内側に配置されることも分かるであろう。
【００３５】
もう一つの方法として、図４および４ａに説明される様に、成形部分２９は、上述の挿入部分３１により提供され、支持体２２の端２２ａに組み入れられている凹部３０に挿入可能であり得る。
【００３６】
この例と同様に、係合部材２８は、蓋が閉位置になったときに、蓋１２の内側に留まっている。
【００３７】
さらに、付随する図には示されていない更なる形態に従えば、固定手段２７は、例えば、包装体の寸法の範囲の外側に突出するタブと、包装体により提供される挿入可能な貫通孔とからなっていても構わない。一例として、支持体２２の端２２ａに付随し、包装体から横方向に飛び出すタブは、蓋１２により提供される貫通孔に挿入されることができる。
【００３８】
もう一つの方法として、固定手段は、蓋の挿入部分３１に付随し、前側の角の端２６の両側に、互いに平行に配置され、支持体２２により提供される貫通孔に作用する２つの突起部を含むことができる。
【００３９】
図６，６ａ，７，８，８ａおよび９を参照して、包装体１は、包装体１の前面１８を形成する２つのパネル３４と、包装体１の後面１７に一致するパネル３５と、後側パネル３５の内面に最終的に接触して受けるような更なる接続パネル３６とを区画する互いに平行な予め折り目を付けられた３つの折り領域３３を有するほぼ四角形の外形の平坦な打抜き素材３２から形成されている。
【００４０】
素材３２は、予め折り目を付けられた３つの折り領域３３に交差し、より正確には、前側の角の端２６で一致する中央の予め折り目を付けられた領域３８に収束する２つの傾斜した区間３８からなる横方向のＶ字形の切込み３７を有する。Ｖ字形の切込み３７は、一方の容器１０の前壁１４を、他方の蓋１２の前壁１６から分割している。
【００４１】
Ｖ字形の切込み３７の２つの端は、２つの対応するパネル３５および３６を横方向に横切って延び、蓋１２のヒンジ１９として機能する２つのそれぞれの折り線３９につながっている。
【００４２】
包装体１の後面１７に一致するパネル３５は、上側羽根４０と下側羽根４１とが付随されており、それぞれの折り線４２に沿って上記のパネル３５にそれぞれが結合されている。２つの羽根４０および４１は、それぞれが上側端面８または頂部、および下側端面９または包装体１の底部に一致する。
【００４３】
包装体１の前面１８に一致するそれぞれのパネル３４は、上記のパネル３４の両側から延びる２つのフラップ４３を有する。それぞれのパネル３４のフラップ３４は、対応する羽根４０および４１の内面に固定され、それ故に、組立てられた包装体１の上述の頂部および底部を形成するであろう。
【００４４】
図６に説明される素材３２は、図１および１ａにおける様な包装体を形成するために用いられる。
【００４５】
上述の横方向のＶ時形の切込み３７は、成形部分２９および関連する凹部３０を盛り込みながら、２つの傾斜した区間３８の収束点においてほぼ輪状の部分４４を有している。有利にも、輪状部分４４は、中央の予め折り目を付けられた折り領域３３を横方向に交差して延び、その結果、成形部分２９および関連する凹部３０は、包装体１の前側の角の端２６に一致するであろう。
【００４６】
さらに、図６の例を参照して、輪状部分４４は、蓋１２の前壁１６を提供する素材３２の一部分に向かって方向付けられた凸状の外形を有して配置されている。このように、成形部分２９は、容器１０を提供する素材の一部分に付随しており、一方で、凹部３０は、蓋１２を提供する素材３２の一部分に付随している。
【００４７】
図７で説明される素材３２は、図２および２ａにおける様な包装体を形成するために用いられる。
【００４８】
この場合には、輪状部分４４は、容器１０の前壁１４を提供しながら、素材３２の一部分に向かって方向づけられる凸形状の外形を有して配置されている。したがって、凹部３０は、容器１０を提供する素材の一部分に付随している一方で、成形部分２９は、蓋１２を提供する素材の一部分に付随している。
【００４９】
図１，１ａ，２および２ａの例においては、補強支持体２２は、図６ａに説明されるような包装材料の平坦なリーフ４５から得られる。
【００５０】
リーフ４５は、ほぼ四角形の外形を有し、支持体２２の突起部分２４を形成する２つのパネル４７を区画する互いに平行な予め折り目を付けられた３つの折り領域４６を備える。予め折り目を付けられた領域４６は、包装体の素材３２の予め折り目を付けられた３つの領域３３に一致するように配置され、そしてつり合っている。
【００５１】
完成された包装体１においては、２つのパネル４７は、容器１０の前壁１４を形成するパネル３４の内面に固定されるであろう。
【００５２】
さらに、２つの側方の予め折り目を付けられた領域４６は、包装体１の後面１７に一致しながら容器１０の後壁１３により提供される内面に固定される支持体２２の２つの端壁４８を提供する。
【００５３】
材料のリーフ４５は、また、容器１０の上側端２０に平行に配置されるＶ字形の外形の上側端４９、および２つの付属物５１を提供する底端５０を有して、それぞれが支持体２２の突起部分２４を形成するそれぞれのパネル４７に付随している。
【００５４】
２つの付属物５１は、それぞれのフラップ４３に個別に関連しており、そして包装体１の底部に向かって構造的に組み込まれている。
【００５５】
この場合に、材料のリーフ４５は、容器１０の全体の長さで延び、上記の容器１０から部分的に突出する支持体２２を形成し、包装体１の底部に固定される。
【００５６】
図８に説明される素材３２は、図３，３ａ，４，４ａおよび５におけるような包装体を形成するために用いられる。
【００５７】
本実施形態においては、固定手段２７は、突起部分２４に組みこまれており、したがって、横方向のＶ字形の切込み３７は、上述の輪状の部分４４を有さずに形成されている。
【００５８】
図９に説明されているリーフ４５は、図３，３ａおよび５に示されるような包装体を形成するために用いられている。
【００５９】
特に、リーフ４５は、前側の角の端２６に一致する３つのうち１つのみの中央の予め折り目を付けられた領域４６を占める横方向のＶ字形の切込み５２を有している。切込み５２は、上側端４９の最上点で終わる一方の支持体２２のパネル４７を区画し、蓋１２の他方の上述の挿入部分３１を区画する。
【００６０】
より正確には、切込み５２は、包装体１が初めに開けられたときに、蓋１２の内側に付随する挿入部分３１が、支持体２２からの離脱を生じる破線を形成している。
【００６１】
Ｖ字形の切込み５２は、素材３２の輪状部分４４と同様に、輪状部分５３を有しており、成形部分２９および凹部３０を組み込んでいる。
【００６２】
図９の例においては、輪状部分５３は、支持体２２の上側端４９に付随している成形部分２９と、挿入部分３１により提供される凹部３０とを区画する。
【００６３】
図８ａは、図４および４ａの包装体１を形成するために用いられる材料のリーフ４５を説明しており、輪状部分５３は、蓋の挿入部分３１に付随する成形部分２９と、支持体２２の上側端４９により提供される凹部３０を区画する。
【００６４】
記述され、および説明された包装体１は重要な利点を有する。
【００６５】
初めに、固定手段２７は、容器１０の上側に蓋１２が固く閉じられることを確保する。したがって、包装体１が突然の動きを受けた時でさえも、たばこが離脱することを防ぐように、蓋は閉位置に固く留まるであろう。
【００６６】
支持体２２に形成されるリーフ４５は、容器１０の強度を増加させることも分かるであろう。上述したように、実際には、支持体２２は、容器１０の軸Ｘに沿ってそれの全ての長さで延びる。
【００６７】
さらに、支持体２２を包装体１に固定する工程は、有利にも簡単である。実際には、フラップ４３に向けられる付属物５１の追加により、支持体２２は、包装体１に対してより正確に配置されうる。
【００６８】
最後に、前に述べたように、長手方向の角の端は、傾斜したり尖ったりすることができ、または、代替的に（特許出願ＥＰ−Ａ１−０７６４５９５に開示されているたばこの包装体の幾何形状を適用し、その内容は、全ての記述を提供するそれの全体の参照により内容がここに組み込まれる）、横方向の角の端が非直線的および丸まって、または傾斜することができ、同様に、一部の長手方向の角の端および一部の横方向の角の端は、非直線的であっても構わず、その結果、長手方向の角の端および横方向の角の端は非直線的および丸まって、または傾斜して見える包装体であっても構わないことが理解されるであろう。特に、三角形の設計に必要とされる適切な薬剤および適用において、包装体１は、全ての記述を提供するそれの全体の参照によって内容がここに組み込まれるＷＯ−Ａ１−２００５／００７５３７およびＷＯ−Ａ１−０３／０８０４７３に開示されている包装体の特徴を有していても構わない。他の実施形態においては、ここでは記述も説明もされていないが、包装体１は、特許出願ＥＰ−Ａ１−１０６６２０６（全ての記述を提供するそれの全体の参照により内容がここに盛り込まれる）に開示されているたばこの包装体の特徴を有していても構わず、この場合には、側壁は凸状をしており、２つの予め折り目を付けられて形成された側部の帯により側面に位置する平坦な中央部分を有している。
【図面の簡単な説明】
【００６９】
【図１】本発明に従った可能な包装体を説明し、概略斜視図であり、開いた形状が示されている。
【図１ａ】図１における包装体の正面図であり、閉じた形状が示されている。
【図２】本発明に従った可能な包装体を説明し、概略斜視図であり、開いた形状が示されている。
【図２ａ】図２における包装体の正面図であり、閉じた形状が示されている。
【図３】本発明に従った可能な包装体を説明し、概略斜視図であり、開いた形状が示されている。
【図３ａ】図３における包装体の正面図であり、閉じた形状が示され、他の部分をよりよく表すために一部分が切断されている。
【図４】本発明に従った可能な包装体を説明し、概略斜視図であり、開いた形状が示されている。
【図４ａ】図４における包装体の正面図であり、閉じた形状が示され、他の部分をよりよく表すために一部分が切断されている。
【図５】図３の包装体を示し、側面図であり、他の部分をよりよく表すために一部分が切断されている。
【図６】図１から図４のいずれかの包装体を製造するための打抜き素材の平面図である。
【図６ａ】図１から図４のいずれかの包装体を製造するための打抜き素材の平面図である。
【図７】図１から図４のいずれかの包装体を製造するための打抜き素材の平面図である。
【図８】図１から図４のいずれかの包装体を製造するための打抜き素材の平面図である。
【図８ａ】図１から図４のいずれかの包装体を製造するための打抜き素材の平面図である。
【図９】図１から図４のいずれかの包装体を製造するための打抜き素材の平面図である。
【図１】
2009542545.tif 000003
【図１ａ】
2009542545.tif 000004
【図２】
2009542545.tif 000005
【図２ａ】
2009542545.tif 000006
【図３】
2009542545.tif 000007
【図３ａ】
2009542545.tif 000008
【図４】
2009542545.tif 000009
【図４ａ】
2009542545.tif 000010
【図５】
2009542545.tif 000011
【図６】
2009542545.tif 000012
【図６ａ】
2009542545.tif 000013
【図７】
2009542545.tif 000014
【図８】
2009542545.tif 000015
【図８ａ】
2009542545.tif 000016
【図９】
2009542545.tif 000017
【国際調査報告】
2009542545.tif 000018
2009542545.tif 000019